(57)【要約】【課題】  再生モードから記録モードに自動で切り替わるようにする。【解決手段】  再生モードで動作中に、ディスク媒体の初期化の指示があると（Ｓ１）、初期化を実行する（Ｓ２）。初期化が終了すると（Ｓ３）、記録モードに遷移する（Ｓ４）。【選択図】  図３
2009005115.tif 000002
【特許請求の範囲】
【請求項１】
ディスク媒体からデータを再生し、当該ディスク媒体にデータを記録するディスク記録再生装置であって、
前記ディスク媒体の初期化を制御する初期化制御部と、
前記ディスク媒体からデータを再生する再生モードと、前記ディスク媒体にデータを記録する記録モードの切替えを制御するモード切替え制御部
とを具備し、
前記モード切替え制御部は、前記初期化制御部から前記ディスク媒体の初期化終了の通知に応じて、前記再生モードから前記記録モードに切り替えることを特徴とするディスク記録再生装置。
【請求項２】
更に、初期化形式を記憶する記憶メモリと、前記ディスク媒体の初期化をユーザが指示するための初期化実行指示手段とを備え、
前記初期化制御部は、前記初期化実行指示手段の指示に応じて、前記記憶メモリにユーザによってあらかじめ設定された形式で前記ディスク媒体の初期化を制御することを特徴とする請求項１に記載のディスク記録再生装置。
【請求項３】
更に、ユーザが前記初期化形式をあらかじめ選択するメニューを表示する表示部と、前記メニューを操作する操作部とを備えることを特徴とする請求項２に記載のディスク記録再生装置。
【請求項４】
更に、文字情報を表示する表示部を備え、前記モード切替え制御部が前記再生モードから前記記録モードに切り替えた際、前記表示部にモード切替えを示すアイコンまたは文字列を表示することを特徴とする請求項１に記載のディスク記録再生装置。
【請求項５】
更に、実行された初期化形式を記憶する記憶メモリと、文字情報を表示する表示部と、メニューを操作する操作部とを備え、ユーザによってメニューから初期化動作を実行された場合は、前記ディスク媒体の初期化形式を前記記憶メモリに記憶することを特徴とする請求項１に記載のディスク記録再生装置。
【請求項６】
更に、文字情報を表示する表示部を備え、初期化実行指示手段によるユーザの指示に応じて、前記表示部に、前記ディスク媒体の初期化形式を示すアイコンまたは文字列を表示することを特徴とする請求項２に記載のディスク記録再生装置。
【発明の詳細な説明】
【技術分野】
【０００１】
本発明は、ディスク媒体にデータを記録再生するディスク記録再生装置に関する。
【背景技術】
【０００２】
ディスク媒体にデータを書き込むことができる従来のディスク記録再生装置は、再生モードでディスク媒体を初期化した場合、初期化終了後も再生モードのままである。ユーザが撮影を行なおうとした場合、動作モードを手動で記録モードに切り替えなければならない。
【０００３】
特許文献１には、ユーザが撮影ボタンを押下した場合に自動的に記録モードに切り替わり、録画が開始される撮像装置が記載されている。この技術により、すぐに撮影を行なえる状態になり、ユーザによる誤操作を防止できる。
【特許文献１】特開平１１−３１７９２５号公報
【発明の開示】
【発明が解決しようとする課題】
【０００４】
しかし、特許文献１に記載の技術では、ユーザによる撮影動作に応じて記録モードに切り替わり録画が開始されるので、実際に録画が開始されるまでに時間がかかってしまい、シャッタチャンスを逃してしまう。
【０００５】
本発明は、このような課題を解決するディスク記録再生装置を提示することを目的とする。
【課題を解決するための手段】
【０００６】
本発明は上記の課題を解決するため、本発明に係るディスク記録再生装置は、ディスク媒体からデータを再生し、当該ディスク媒体にデータを記録するディスク記録再生装置であって、前記ディスク媒体の初期化を制御する初期化制御部と、前記ディスク媒体からデータを再生する再生モードと、前記ディスク媒体にデータを記録する記録モードの切替えを制御するモード切替え制御部とを具備し、前記モード切替え制御部は、前記初期化制御部から前記ディスク媒体の初期化終了の通知に応じて、前記再生モードから前記記録モードに切り替えることを特徴とする。
【０００７】
好ましくは、本発明に係るディスク記録再生装置は、更に、初期化形式を記憶する記憶メモリと、前記ディスク媒体の初期化をユーザが指示するための初期化実行指示手段とを備え、前記初期化制御部は、前記初期化実行指示手段の指示に応じて、前記記憶メモリにユーザによってあらかじめ設定された形式で前記ディスク媒体の初期化を制御することを特徴とする。
【０００８】
好ましくは、本発明に係るディスク記録再生装置は、更に、ユーザが前記初期化形式をあらかじめ選択するメニューを表示する表示部と、前記メニューを操作する操作部とを備えることを特徴とする。
【０００９】
好ましくは、本発明に係るディスク記録再生装置は、更に、文字情報を表示する表示部を備え、前記モード切替え制御部が前記再生モードから前記記録モードに切り替えた際、前記表示部にモード切替えを示すアイコンまたは文字列を表示することを特徴とする。
【００１０】
好ましくは、本発明に係るディスク記録再生装置は、更に、実行された初期化形式を記憶する記憶メモリと、文字情報を表示する表示部と、メニューを操作する操作部とを備え、ユーザによってメニューから初期化動作を実行された場合は、前記ディスク媒体の初期化形式を前記記憶メモリに記憶することを特徴とする。
【００１１】
好ましくは、本発明に係るディスク記録再生装置は、更に、文字情報を表示する表示部を備え、初期化実行指示手段によるユーザの指示に応じて、前記表示部に、前記ディスク媒体の初期化形式を示すアイコンまたは文字列を表示することを特徴とする。
【発明の効果】
【００１２】
本発明では、ディスク媒体の初期化動作で自動的に再生モードから記録モードに切り替わるので、シャッタチャンスを逃がしにくくなり、また、ユーザの誤操作を防止できる。再生モードから記録モードに自動で切り替わるので、わずらわしいモード切替え操作が不要となる。ディスク媒体の初期化から撮影までの動作がスムーズなディスク記録再生装置を提供できる。
【００１３】
あらかじめ設定されている初期化形式でディスク媒体を初期化することによって、同じ初期化形式でディスク媒体を初期化する操作が簡易になる。
【００１４】
初期化形式をあらかじめ選択できることによって、簡単な操作でユーザが望む初期化形式でディスク媒体を初期化できる。
【００１５】
モード切替えを通知することによって、どのタイミングで記録モードに変わったかをユーザが確認できるようになる。
【００１６】
メニューから実行された初期化形式を記憶することによって、毎回ユーザが初期化形式を選択する手間を省くことが可能である。
【００１７】
初期化形式を表示することによって、現在、どの初期化形式でディスク媒体を初期化しているかをユーザが確認できるようになる。
【発明を実施するための最良の形態】
【００１８】
以下、図面を参照して、本発明の実施例を詳細に説明する。
【００１９】
図１は、本発明に係るディスク記録再生装置の一実施例であるディスクカムコーダの概略構成ブロック図である。図２は、ディスク装置２８の概略構成ブロック図を示す。
【００２０】
ＣＰＵ１２は、ディスク記録再生装置の一実施例としてのカムコーダ１０の各部を制御する。ＣＰＵ１２はまた、ディスク媒体３２からデータを再生する再生モードと、ディスク媒体３２にデータを記録する記録モードの切替えを制御する。
【００２１】
ＲＡＭ１４は、ＣＰＵ１２及び映像データ処理部２０によりワーキングエリアとして使用される。ＲＡＭ１４はまた、ディスク媒体３２を初期化した時の初期化形式を記憶する記憶メモリとして機能する。
【００２２】
ユーザは、操作部１６を使って、表示部２４上に表示されるメニューカーソル等を操作できる。操作部１６は、カーソルを移動させる＋キー及びーキー、選択されたメニューの決定をＣＰＵ１２に指示する決定キーを含む。機構的には、スイッチ又はタッチパネル等であり、特定の構成又は機能に限定されない。
【００２３】
映像入力部１８は、被写体を示す映像信号を生成し、その映像信号を映像データ処理部２０に供給する。映像データ処理部２０は、映像入力部１８からの映像信号をアナログ／デジタル変換し、圧縮符号化し，図示しない音声処理系からの音声セータと多重化し、多重化データを一時記憶メモリ２２に格納する。一時記憶メモリ２２は、ＣＰＵ１２からの制御に従い、一時記憶メモリ２２内に蓄積されたデータをインターフェース（Ｉ／Ｆ）２６に読み出す。Ｉ／Ｆ２６は、一時記憶メモリ２２からのデータをディスク装置２８に出力する。
【００２４】
表示部２４は、液晶ディスプレイ等により構成される。表示部２４は、映像入力部１８で撮影された映像信号が示す画像を表示し、また、ディスク媒体３２から再生された画像を表示する。表示部２４はまた、様々なメニュー等の文字情報及びアイコン等を表示する。
【００２５】
ディスク装置２８は、複数種類のディスク媒体に対応可能であり、装填されたディスク媒体からデータを読み出しでき、データを書き込みでき、ディスク媒体を初期化できる。
【００２６】
初期化実行ボタン（又は初期化実行指示手段）３０は、ディスク媒体の初期化動作の開始をＣＰＵ１２に指示するのに使用される。
【００２７】
図２を参照して、ディスク装置２８の構成を説明する。ディスクモータ３４は、装填されたディスク媒体３２を回転する。ピックアップ部３６は、ディスク媒体３２にデジタル信号を読み書きするピックアップヘッドと、ピックアップヘッドをディスク媒体３２の半径方向に移動させるモータからなる。図示はしていないが、ピックアップヘッドは、レンズを移動させるトラッキング機構およびフォーカス機構を具備する。ディスク媒体３２に信号を読み書きする動作自体は、周知であるので、説明を省略する。
【００２８】
ＲＦアンプ３８は、ピックアップ部３６で読み出された信号を増幅し、ディスク信号処理部４０に出力する。ディスク信号処理部４０は、ＲＦアンプ３８からの再生信号を復調及び誤り訂正し、Ｉ／Ｆ２６に出力する。
【００２９】
ＣＰＵ１２はＩ／Ｆ２６を介してコントロール信号を制御部４２に供給する。制御部４２は、Ｉ／Ｆ２６からのコントロール信号に従い、ディスクモータ３４及びピックアップ部３６を駆動する。制御部４２はまた、ディスク媒体３２の初期化動作を制御する初期化制御部として機能し、ディスク媒体３２の初期化の終了をＩ／Ｆ２６を介してＣＰＵ１２に通知する。
【００３０】
Ｉ／Ｆ２６は、一時記憶メモリ２２からのデータをエンコーダ４４に供給する。エンコーダ４４は、Ｉ／Ｆ２６からのデータにＥＦＭ変調及び誤り訂正符号化等を行う。
【００３１】
ヘッド駆動部４６は、エンコーダ４４からの信号に従い、記録ヘッド４８を駆動して、ディスク媒体３２に磁界を印加させる。これにより、一時記憶メモリ２２からのデータがディスク媒体３２に記録される。ディスク媒体３２に信号を記録する動作、及びディスク媒体３２を初期化する動作は周知であるので、説明を省略する。
【００３２】
カムコーダ１０では、次のように動画がディスク媒体３２に記録される。即ち、映像データ処理部２０は、映像入力部１８からのアナログ映像信号をデジタル信号に変換し、圧縮符号化し、音声データ等と多重化して、一時記憶メモリ２２に一時記憶させる。一時記憶メモリ２２に一時記憶されたデータは、逐次、読み出され、Ｉ／Ｆ２６を介してディスク装置２８に供給される。
【００３３】
ディスク装置２８では、エンコーダ４４が、Ｉ／Ｆ２６からのデータにＥＦＭ変調及び誤り訂正符号化等を施す。ヘッド駆動部４６は、エンコーダ４４の出力データに従って記録ヘッド４８を駆動する。これにより、映像データが、ディスク媒体３２に記録される。
【００３４】
また、ピックアップ部３６はディスク媒体３２の記録信号を読み出し、ＲＦアンプ３８がピックアップ部３６の出力信号を増幅する。ディスク信号処理部４０は、ＲＦアンプ３８の出力信号を復調及び誤り訂正する。Ｉ／Ｆ２６は、ディスク信号処理部４０の出力信号をＣＰＵ１２に供給する。ＣＰＵ１２は、この信号から、ディスク媒体３２の種類等を判別するディスク情報、及び、データの読み出し及び書き込みを行っている位置（アドレス）情報を取得する。
【００３５】
図３を参照して、ディスク媒体３２の初期化を実行した場合のモード切替え処理を説明する。
【００３６】
再生モードにおいて、ユーザは、初期化実行ボタン３０、又は、操作メニュー画面と操作部１６の操作により、ディスク媒体３２の初期化を指示できる。ＣＰＵ１２は、その初期化指示を待つ（Ｓ１）。
【００３７】
ユーザの初期化指示に応じて（Ｓ１）、ＣＰＵ１２は、Ｉ／Ｆ２６を介してディスク装置２８にディスク媒体３２の初期化開始を指示する（Ｓ２）。ディスク装置２８は、この指示に応じて、ディスク媒体３２を初期化する。初期化が終了すると、ディスク装置２８は、初期化終了をＩ／Ｆ２６を介してＣＰＵ１２に通知する（Ｓ３）。
【００３８】
初期化終了の通知に応じて、ＣＰＵ１２は、カムコーダ１０の動作モードを再生モードから記録モードに切り替える（Ｓ４）。記録モードでは、ＣＰＵ１２は、映像入力部１８及び映像データ処理部２０を起動し、表示部２４に映像データ処理部２０からの映像データを表示させる。即ち、ＣＰＵ１２は、ディスク媒体３２からデータを再生する再生モードと、ディスク媒体３２にデータを記録する記録モードの切替えを制御するモード切替え制御部として機能する。
【００３９】
記録モードでは、操作部１６の録画開始ボタン操作に応じて、撮影映像がディスク媒体３２に記録され、録画停止ボタン操作に応じて、撮影映像のディスク媒体３２への記録が停止される。
【００４０】
図４は、初期化実行ボタン３０の操作にユーザ設定をリンクさせた場合の、モード切替え動作のフローチャートを示す。
【００４１】
再生モードでディスク媒体３２が装填された状態で、ユーザが初期化実行ボタン３０を押下すると（Ｓ１１）、ＣＰＵ１２は、ＲＡＭ１４内に記憶されているユーザ設定を読み込む（ステップＳ１２）。ユーザ設定は、例えば、ＶＩＤＥＯ形式とＶＲ形式の一方の指定である。
【００４２】
ＣＰＵ１２は、Ｉ／Ｆ２６を介してディスク装置２８へＲＡＭ１４から読み込んだユーザ設定に基づくディスク媒体３２の初期化を、Ｉ／Ｆ２６を介してディスク装置２８に指示する。この指示に応じて、ディスク装置２８は、ユーザ設定に基づく初期化をディスク媒体３２に実行する（Ｓ１３）。
【００４３】
ディスク媒体３２の初期化が終了すると、ディスク装置２８の制御部４２は、初期化終了をＩ／Ｆ２６を介してＣＰＵ１２に通知する（Ｓ１４）。
【００４４】
初期化終了の通知に応じて、ＣＰＵ１２は、カムコーダ１０の動作モードを再生モードから記録モードに切り替える（Ｓ１５）。記録モードでは、ＣＰＵ１２は、映像入力部１８及び映像データ処理部２０を起動し、表示部２４に映像データ処理部２０からの映像データを表示させる。
【００４５】
図５は、ディスク媒体３２の初期化形式を選択する画面例を示す。表示部２４の画面に初期化形式選択画面６０が表示される。初期化形式選択画面６０には、ＶＩＤＥＯ形式選択ボタン６２と、ＶＲ形式選択ボタン６４が表示される。
【００４６】
操作部１６の左移動（−）キー１６ａ及び右移動（＋）キー１６ｂを使ってＶＩＤＥＯ形式選択ボタン６２又はＶＲ形式選択ボタン６４を選択し、決定キー１６ｃで選択を確定する。
【００４７】
初期化形式としてＶＩＤＥＯ形式を設定したい場合に、ＶＩＤＥＯ形式選択ボタン６２を選択し、決定する。これにより、ＣＰＵ１２は、ＲＡＭ１４にユーザ設定としてＶＩＤＥＯ形式を記憶させる。逆に、初期化形式としてＶＲ形式を設定したい場合に、ＶＲ形式選択ボタン６４を選択し、決定する。これにより、ＣＰＵ１２は、ＲＡＭ１４にユーザ設定としてＶＲ形式を記憶させる。
【００４８】
図６は、記録モードへの切替え時に表示される画面例を示す。記録モードへの切替えをユーザに知らせるメッセージ６６が、表示部２４の被写体の撮影映像に重畳して表示される。このメッセージ６６は、文字列でも、アイコンでも、図形でも、これらの組み合わせでも良い。更に、音の通知と併用してもかまわない。また、このメッセージ６６は、一定時間、経過後に消去される。
【００４９】
図７を参照して、ユーザがメニューから初期化形式を選択して初期化を行なった場合のモード切替え動作を説明する。
【００５０】
操作メニュー画面上で、ユーザが、ディスク媒体３２の初期化を指示する（Ｓ２１）。その際、初期化形式も指定する。
【００５１】
ＣＰＵ１２は、Ｉ／Ｆ２６を介してディスク装置２８に、指定の初期化形式でのディスク媒体３２の初期化を指示する。ディスク装置２８は、この指示に応じて、ディスク媒体を指定の初期化形式で初期化する（Ｓ２２）。図８は、初期化中に表示部２４に表示される画面例を示す。初期化形式をユーザに通知する。このメッセージは、アイコンでも、図形でも、文字列でも、これらの組み合わせでも良い。更に、音の通知と併用してもかまわない。
【００５２】
ディスク媒体３２の初期化が終了すると、ディスク装置２８の制御部４２は、初期化終了をＩ／Ｆ２６を介してＣＰＵ１２に通知する（ステップＳ２３）。
【００５３】
初期化終了の通知に応じて、ＣＰＵ１２は、初期化形式をユーザ設定としてＲＡＭ１４に記憶する（ステップＳ２４）。ＣＰＵ１２はまた、カムコーダ１０の動作モードを再生モードから記録モードに切り替える（ステップＳ２５）。記録モードでは、ＣＰＵ１２は、映像入力部１８及び映像データ処理部２０を起動し、表示部２４に映像データ処理部２０からの映像データを表示させる。
【図面の簡単な説明】
【００５４】
【図１】本発明の一実施例であるディスクカムコーダの概略構成ブロック図である。
【図２】ディスク装置２８の概略構成ブロック図である。
【図３】本実施例の第１のモード切替え処理のフローチャートである。
【図４】本実施例の第２のモード切替え処理のフローチャートである。
【図５】初期化形式選択画面の表示例である。
【図６】モード切替えの表示例である。
【図７】本実施例の第３のモード切替え処理のフローチャートである。
【図８】初期化中の表示画面例である。
【符号の説明】
【００５５】
１０・・・ディスクカムコーダ（ディスク記録再生装置）
１２・・・ＣＰＵ
１４・・・ＲＡＭ
１６・・・操作部
１８・・・映像入力部
２０・・・映像データ処理部
２２・・・一時記憶メモリ
２４・・・表示部
２６・・・Ｉ／Ｆ
２８・・・ディスク装置
３０・・・初期化実行ボタン
３２・・・ディスク媒体
３４・・・ディスクモータ
３６・・・ピックアップ部
３８・・・ＲＦアンプ
４０・・・ディスク信号処理部
４２・・・制御部
４４・・・エンコーダ
４６・・・ヘッド駆動部
４８・・・記録ヘッド
６０・・・初期化形式選択画面
６２・・・ＶＩＤＥＯ形式選択ボタン
６４・・・ＶＲ形式選択ボタン
６６・・・モード切替え警告メッセージ
【図１】
2009005115.tif 000003
【図２】
2009005115.tif 000004
【図３】
2009005115.tif 000005
【図４】
2009005115.tif 000006
【図５】
2009005115.tif 000007
【図６】
2009005115.tif 000008
【図７】
2009005115.tif 000009
【図８】
2009005115.tif 000010